(57)【要約】【課題】コンパクト化を容易に図ることができる三脚を提供する。【解決手段】三脚１１は、三脚本体１２と、昇降可能なカメラ支持用杆体１４と、回動可能な脚体１７と、脚体１７の開脚度を調節する操作体１８とを備える。この操作体１８は、三脚本体１２の上面１２ａから上方に突出しない状態で、左右方向に移動可能に設ける。この操作体１８は、三脚本体１２の上面１２ａを含む平面に略沿って左右方向に移動する操作板部６２を有する。【選択図】　　　　図１
2004028146.tif 000002
【特許請求の範囲】
【請求項１】
三脚本体と、
この三脚本体に昇降可能に設けられたカメラ支持用杆体と、
前記三脚本体に水平方向の回動中心軸線を中心として回動可能に設けられた脚体と、
前記三脚本体から上方に突出しない状態で水平方向に移動可能に配置され、前記脚体の開脚度を調節するための操作体と
を備えることを特徴とする三脚。
【請求項２】
操作体は、三脚本体の上面を含む平面に略沿って水平方向に移動する操作板部を有する
ことを特徴とする請求項１記載の三脚。
【請求項３】
脚体は、回動中心軸線からの距離が同じ複数の開脚規制用当接面を有する
ことを特徴とする請求項１または２記載の三脚。
【請求項４】
操作体は、脚体が閉脚状態になると基準位置に戻る
ことを特徴とする請求項１ないし３のいずれか一記載の三脚。
【発明の詳細な説明】
【０００１】
【発明の属する技術分野】
本発明は、操作体の操作により脚体の開脚度を調節できる三脚に関する。
【０００２】
【従来の技術】
従来、この種の三脚としては、例えば特開２０００−１８４８９号公報に記載された三脚が知られている。
【０００３】
この三脚は、図２２に示すように、三脚本体１を備え、この三脚本体１には、上端部にねじ部２ａを有するカメラ支持用杆体２が昇降可能に設けられている。また、三脚本体１には、長さ調節可能な脚体３が水平方向の回動中心軸線Ｘを中心として回動可能に設けられている。さらに、三脚本体１には、脚体３の開脚度を調節するための操作体４が上下方向に移動可能に設けられている。
【０００４】
また、三脚本体１の上部には、操作体４の移動量に対応した大きさの略円筒状の突部６が形成され、この突部６にて操作体４の移動スペースが常に確保されるようになっている。
【０００５】
なお、脚体３の上端部には、図２３に示すように、回動中心軸線Ｘからの距離が異なる複数、例えば３つの開脚規制用当接面７が階段状に形成されている。そして、この開脚規制用当接面７と操作体４の被当接面との当接により、脚体３が所望の開脚度をもって開脚した状態となる。
【０００６】
【発明が解決しようとする課題】
しかしながら、上記特開２０００−１８４８９号公報に記載された従来の三脚では、操作体４の移動スペース確保のための突部６を三脚本体１の上部に形成する必要があるため、コンパクト化を図るのが難しいという問題がある。
【０００７】
本発明は、このような点に鑑みなされたもので、コンパクト化を容易に図ることができる三脚を提供することを目的とする。
【０００８】
【課題を解決するための手段】
請求項１記載の三脚は、三脚本体と、この三脚本体に昇降可能に設けられたカメラ支持用杆体と、前記三脚本体に水平方向の回動中心軸線を中心として回動可能に設けられた脚体と、前記三脚本体から上方に突出しない状態で水平方向に移動可能に配置され、前記脚体の開脚度を調節するための操作体とを備えるものである。
【０００９】
そして、従来とは異なり操作体の移動スペース確保のための突部を三脚本体の上部に形成する必要がないため、コンパクト化を容易に図ることが可能となる。
【００１０】
請求項２記載の三脚は、請求項１記載の三脚において、操作体は、三脚本体の上面を含む平面に略沿って水平方向に移動する操作板部を有するものである。
【００１１】
そして、操作体の操作板部を操作することで、脚体の開脚度を簡単に調節することが可能となる。
【００１２】
請求項３記載の三脚は、請求項１または２記載の三脚において、脚体は、回動中心軸線からの距離が同じ複数の開脚規制用当接面を有するものである。
【００１３】
そして、回動中心軸線からの距離が異なる複数の開脚規制用当接面を有する脚体等に比べて、十分な強度を適切に確保することが可能となる。
【００１４】
請求項４記載の三脚は、請求項１ないし３のいずれか一記載の三脚において、操作体は、脚体が閉脚状態になると基準位置に戻るものである。
【００１５】
そして、操作体は、脚体が閉脚状態になると基準位置に戻るので、操作体の位置の確認が不要で、取扱性が良好になる。
【００１６】
【発明の実施の形態】
以下、本発明の三脚の一実施の形態の構成を図面を参照して説明する。
【００１７】
図１および図２において、１１は三脚で、この三脚１１は、三脚本体１２を備えている。
【００１８】
この三脚本体１２には、上端部に突出状のねじ部１３を有する長さ調節可能な一本のカメラ支持用杆体１４が昇降可能に設けられている。また、三脚本体１２には、上端部に出入り可能な移動規制部１６を有する長さ調節可能（伸縮可能）な三本の脚体１７がこの脚体１７の上端側の水平方向の回動中心軸線Ｘを中心として回動可能に設けられている。
【００１９】
そして、脚体１７の開脚度を調節するための操作レバーである操作体１８が、三脚本体１２および脚体１７間において、三脚本体１２の略平面状の上面１２ａから上方に突出しない状態で水平方向、例えば左右方向に移動可能に配置されている。
【００２０】
ここで、三脚本体１２は、図２、図８ないし図１３等に示すように、例えば上側部材２１、下側部材２２、ねじ溝付外側筒部材２３、切溝付内側筒部材２４、ねじ孔付小部材２５およびナット部材２６にて構成された本体部３１を有している。
【００２１】
この本体部３１の中央には、上下に貫通した挿通孔３２が形成されている。この挿通孔３２にはカメラ支持用杆体１４が昇降可能に挿通され、この挿通されたカメラ支持用杆体１４は、固定用操作摘み３３の操作により本体部３１に対して解除可能に固定される。
【００２２】
また、この本体部３１の外周側には、互いに離間対向した対をなす垂直面状の支持板３５が周方向に間隔をおいて三対形成されている。この支持板３５の内面側には凹状の軸受部３６が形成され、この軸受部３６にて脚体１７の上端側が回動可能に軸支される。
【００２３】
カメラ支持用杆体１４は、例えば分割式のセンターポール等で、例えば連結部材４１を介して連結された上側筒部材４２および下側筒部材４３と上側筒部材４２の上面開口を閉塞する上キャップ４４と下側筒部材４３の下面開口を閉塞する下キャップ４５とにて構成された上下面閉塞状の略円筒状の本体部５１を有している。
【００２４】
この本体部５１の上キャップ４４にはねじ５２が固着され、このねじ５２にてねじ部１３が構成されている。このねじ部１３は、本体部５１の上面から上方に向って突出している。
【００２５】
操作体１８は、例えば金属にて一体に所定形状に形成されたもので、図３ないし図７等に示すように、例えば三脚本体１２の本体部３１の支持板３５間において左右方向に移動する基部６１と、この基部６１の上部に一体に設けられ支持板３５間の上方において外部に露出した状態で三脚本体１２の上面１２ａを含む平面に略沿って左右方向に移動する操作板部６２とにて構成されている。
【００２６】
この基部６１は、側面視略く字状に形成され、この基部６１にはねじ挿入用孔６４が一側方である左側方に向って開口した凹状に形成されている。そして、このねじ挿入用孔６４には、操作体１８を他側方である右側方に付勢する付勢体である略円筒状の第１ばね６５の一端側が挿入される。なお、この第１ばね６５の付勢により、操作体１８は脚体１７が閉脚状態になると基準位置（右側位置）に自動的に戻るようになっている。
【００２７】
また、この基部６１の脚体１７と対向する側の面は、略円弧面状に形成されている。そして、この基部６１の略円弧面状の面における上部の正面視左側の部分には、略中央から左端側に向って徐々に上方に傾斜した傾斜面６７が形成されている。また、この基部６１の略円弧面状の面における正面視右側の縁部分には、その縁部分の略全体にわたって略円弧状の切欠き段部６８が形成されている。この切欠き段部６８の段差は、図５に示されるように、上端側から下端側に向って徐々に小さくなっている。なお、この基部６１の略円弧面状の面の上端から上方に向って連続した面にて、垂直面状の被当接面６９が構成されている。
【００２８】
また、操作板部６２は、先端側が下方に向ってやや湾曲した略矩形の板状に形成されている。この操作板部６２の基端部が基部６１の上側縁部に一体に連結されている。
【００２９】
脚体１７は、例えば複数本のパイプ等にて構成された多段式の脚本体部７１を有している。
【００３０】
この脚本体部７１の上端部は、軸方向が回動中心軸線Ｘに一致した略円筒状に形成されている。そして、この脚本体部７１の略円筒状の上端部の両端面からは、軸受部３６に嵌合して軸支される凸状の耳軸である軸部７２が側方に向って突出している。
【００３１】
また、この脚本体部７１の略円筒状の上端部の外周側には、回動中心軸線Ｘからの距離が同じ複数の開脚規制用当接面、すなわち例えば第１開脚規制用当接面７３、第２開脚規制用当接面７４および第３開脚規制用当接面７５がそれぞれ形成されている。
【００３２】
すなわち、この脚本体部７１の上端部外周側には、上から順に、第１開脚規制用当接面７３、第２開脚規制用当接面７４および第３開脚規制用当接面７５が回動中心軸線Ｘに沿ってそれぞれ形成されている。なお、第１開脚規制用当接面７３と第２開脚規制用当接面７４とは、左側方を向いた第１連絡面８１にて連絡されている。また、第２開脚規制用当接面７４と第３開脚規制用当接面７５とは、左側方を向いた第２連絡面８２にて連絡されている。
【００３３】
そして、図１４に示すように、脚体１７の第１開脚規制用当接面７３が操作体１８の被当接面６９に当接することで、脚体１７の開脚方向への回動（開脚）が規制され、脚体１７が通常の開脚度θ１（例えば２５度前後）をもって開脚した通常開脚状態となる。
【００３４】
また、図１５に示すように、脚体１７の第２開脚規制用当接面７４が操作体１８の被当接面６９に当接することで、脚体１７の開脚方向への回動（開脚）が規制され、脚体１７がセミローアングルの開脚度θ２（例えば４５度前後）をもって開脚したセミローアングル開脚状態となる。
【００３５】
さらに、図１６に示すように、脚体１７の第３開脚規制用当接面７５が操作体１８の被当接面６９に当接することで、脚体１７の開脚方向への回動（開脚）が規制され、脚体１７がローアングルの開脚度θ３（例えば７５度前後）をもって開脚したローアングル開脚状態となる。
【００３６】
また一方、脚体１７の脚本体部７１の上端部には、操作体１８の右側方への移動を規制する略ブロック状の移動規制部材７７が脚本体部７１に対して出入り可能に設けられている。すなわち、脚本体部７１の上端部に形成された孔部８０内に移動規制部材７７が上下動自在に配置されている。そして、この移動規制部材７７は、付勢体である略円筒状の第２ばね７８にて上方に付勢されている。なお、この移動規制部材７７にて、操作体１８の右側方への移動を規制する移動規制部１６が構成されている。
【００３７】
次に、上記一実施の形態の三脚１１の使用方法について図面を参照して説明する。
【００３８】
三脚１１を通常開脚で使用する場合は、図１７に示すように操作体１８を第１ばね６５の付勢により基準位置（右側位置）に位置させ、この操作体１８の基部６１の右側面６１ａを右側の支持板３５の内面に当接させた状態で、閉脚状態の脚体１７を回動中心軸線Ｘを中心として開脚方向に回動つまり開脚させる。
【００３９】
すると、図１８に示すように、脚体１７の第１開脚規制用当接面７３が操作体１８の被当接面６９に当接し、この第１開脚規制用当接面７３と被当接面６９との当接により脚体１７の開脚方向への回動が規制され、その結果、脚体１７が通常の開脚度θ１をもって開脚した通常開脚状態となる。
【００４０】
なお、カメラ支持用杆体１４のねじ部１３には、雲台を介してカメラを取り付けたり或いはカメラを直接取り付けたりして、撮影を行う。また、撮影終了後、脚体１７を回動中心軸線Ｘを中心として閉脚方向に回動させれば、脚体１７は図１７に示すもとの閉脚状態となる。
【００４１】
また、三脚１１をローアングル開脚で使用する場合は、まず、図１９に示すように、操作体１８をクリックストップするまで、左方向に移動操作する。すなわち、操作体１８の操作板部６２を操作することにより、操作体１８を第１ばね６５の付勢に抗して左方向に移動させ、ローアングル用位置（左側位置）に位置させる。
【００４２】
この操作体１８の移動の際、脚体１７の移動規制部１６は、操作体１８の傾斜面６７にて下方に押されて脚本体部７１の孔部８０内に入り、その後、操作体１８が通過すると、第２ばね７８の付勢により孔部８０内から出てもとの突出状態に戻る。そして、この突出状態の移動規制部１６が操作体１８の基部６１の切欠き段部６８の側面６８ａに当接することで、操作体１８の第１ばね６５の付勢に基づく右側方への移動が規制され、操作体１８がローアングル用位置に位置決め固定される。
【００４３】
次いで、この操作体１８をローアングル用位置に位置させた状態で、脚体１７を回動中心軸線Ｘを中心として開脚方向に回動させると、図２０に示すように、脚体１７の第３開脚規制用当接面７５が操作体１８の被当接面６９に当接し、この第３開脚規制用当接面７５と被当接面６９との当接により脚体１７の開脚方向への回動が規制され、その結果、脚体１７がローアングルの開脚度θ３をもって開脚したローアングル開脚状態となる。
【００４４】
この脚体１７の開脚方向への回動途中において、突出状態の移動規制部１６と操作体１８の基部６１の切欠き段部６８の側面６８ａとの当接は、移動規制部１６が側面６８ａから離れることで解除される。この移動規制部１６と側面６８ａとの当接の解除後においては、操作体１８の第１ばね６５の付勢に基づく右側方への移動は、操作体１８の基部６１の右側面６１ａと第２連絡面８２との当接により規制される。このため、操作体１８は、ローアングル用位置に位置した状態に維持される。
【００４５】
なお、カメラ支持用杆体１４のねじ部１３には、雲台を介してカメラを取り付けたり或いはカメラを直接取り付けたりして、撮影を行う。また、撮影終了後、脚体１７を回動中心軸線Ｘを中心として閉脚方向に回動させれば、脚体１７は、図１７に示すもとの閉脚状態となる。この脚体１７の閉脚方向への回動の際、操作体１８は、第１ばね６５の付勢により右方向に移動し、通常位置である基準位置（右側位置）に戻る。
【００４６】
さらに、三脚１１をセミローアングル開脚で使用する場合は、脚体１７を一旦ローアングル開脚状態にする必要がある。
【００４７】
すなわち、三脚１１をセミローアングル開脚で使用する場合は、上述のようにして脚体１７をローアングル開脚状態にした後、脚体１７を回動中心軸線Ｘを中心として閉脚方向にゆっくりと回動させ、操作体１８がセミローアングル用位置（中央位置）に位置した段階で、その閉脚方向への回動を止める。
【００４８】
つまり、操作体１８の基部６１の右側面６１ａと第１連絡面８１との当接により、操作体１８の第１ばね６５の付勢に基づく右側方への移動が規制された状態となるまで、脚体１７を閉脚方向に回動させる。
【００４９】
そして、この操作体１８をセミローアングル用位置に位置させた状態で、脚体１７を回動中心軸線Ｘを中心として開脚方向にやや戻すように回動させれば、図２１に示すように、脚体１７の第２開脚規制用当接面７４が操作体１８の被当接面６９に当接し、この第２開脚規制用当接面７４と被当接面６９との当接により脚体１７の開脚方向への回動が規制され、その結果、脚体１７がセミローアングルの開脚度θ３をもって開脚したセミローアングル開脚状態となる。
【００５０】
なお、カメラ支持用杆体１４のねじ部１３には、雲台を介してカメラを取り付けたり或いはカメラを直接取り付けたりして、撮影を行う。また、撮影終了後、脚体１７を回動中心軸線Ｘを中心として閉脚方向に回動させれば、脚体１７は、図１７に示すもとの閉脚状態となる。この脚体１７の閉脚方向への回動の際、操作体１８は、第１ばね６５の付勢により右方向に移動し、通常位置である基準位置（右側位置）に戻る。
【００５１】
そして、上記一実施の形態の三脚１１によれば、脚体１７の開脚度を調節する操作体１８を三脚本体１２にその上面１２ａから上方に突出させることなく左右方向に移動可能に設けたので、部品点数を少なくできるばかりでなく、従来とは異なり操作体１８の移動スペース確保のための突部等を三脚本体１２の上部に形成する必要がないため、コンパクト化を容易に図ることができ、よって、従来の三脚に比べて三脚本体１２の上下方向の寸法を小さくでき、三脚１１全体の伸縮比を向上させることができる。
【００５２】
また、脚体１７の回動中心軸線Ｘからの距離が異なる複数の開脚規制用当接面を有する脚体等に比べて、開脚規制用当接面７３，７４，７５の十分な強度を適切に確保でき、よって、従来の三脚に比べて耐久性を向上させることができる。
【００５３】
さらに、操作体１８は、脚体１７が閉脚状態になると、第１ばね６５の付勢により基準位置に常に戻るようになっているので、前回使用時の操作体１８の位置の確認を不要にでき、取扱性を良好にできる。
【００５４】
なお、三脚１１は、脚体１７の開脚度を３段階に調節できるものには限定されず、例えば、図示しないが、２段階、４段階、５段階等、或いは無段階的に調節できるものでもよい。
【００５５】
また、操作体１８は、左右方向に移動可能なものには限定されず、例えば、図示しないが、左右方向以外の水平方向、例えば前後方向に移動可能なものでもよい。
【００５６】
【発明の効果】
請求項１の発明によれば、従来とは異なり操作体の移動スペース確保のための突部を三脚本体の上部に形成する必要がないため、コンパクト化を容易に図ることができる。
【００５７】
請求項２の発明によれば、操作体の操作板部を操作することで、脚体の開脚度を簡単に調節できる。
【００５８】
請求項３の発明によれば、回動中心軸線からの距離が異なる複数の開脚規制用当接面を有する脚体等に比べて、十分な強度を適切に確保できる。
【００５９】
請求項４の発明によれば、操作体は、脚体が閉脚状態になると基準位置に戻るので、操作体の位置の確認を不要にでき、取扱性を良好にできる。
【図面の簡単な説明】
【図１】本発明の三脚の一実施の形態を示す側面図である。
【図２】同上三脚の分解斜視図である。
【図３】同上三脚の操作体の平面図である。
【図４】同上三脚の操作体の側面図である。
【図５】同上三脚の操作体の側面図である。
【図６】同上三脚の操作体の正面図である。
【図７】同上三脚の操作体の底面図である。
【図８】同上三脚の上側部材の平面図である。
【図９】同上三脚の上側部材の底面図である。
【図１０】同上三脚の下側部材の平面図である。
【図１１】同上三脚の下側部材および脚体の平面図である。
【図１２】同上三脚の上側部材および下側部材の側面図である。
【図１３】同上三脚の閉脚状態時における断面図である。
【図１４】同上三脚の通常開脚状態時における断面図である。
【図１５】同上三脚のセミローアングル開脚状態時における断面図である。
【図１６】同上三脚のローアングル開脚状態時における断面図である。
【図１７】同上三脚の一部を切り欠いた斜視図である。
【図１８】同上三脚の一部を切り欠いた斜視図である。
【図１９】同上三脚の一部を切り欠いた斜視図である。
【図２０】同上三脚の一部を切り欠いた斜視図である。
【図２１】同上三脚の一部を切り欠いた斜視図である。
【図２２】従来の三脚の側面図である。
【図２３】従来の三脚の脚体の上端部の斜視図である。
【符号の説明】
１１　　三脚
１２　　三脚本体
１４　　カメラ支持用杆体
１７　　脚体
１８　　操作体
６２　　操作板部
７３，７４，７５　　開脚規制用当接面
Ｘ　　回動中心軸線
【図１】
2004028146.tif 000003
【図２】
2004028146.tif 000004
【図３】
2004028146.tif 000005
【図４】
2004028146.tif 000006
【図５】
2004028146.tif 000007
【図６】
2004028146.tif 000008
【図７】
2004028146.tif 000009
【図８】
2004028146.tif 000010
【図９】
2004028146.tif 000011
【図１０】
2004028146.tif 000012
【図１１】
2004028146.tif 000013
【図１２】
2004028146.tif 000014
【図１３】
2004028146.tif 000015
【図１４】
2004028146.tif 000016
【図１５】
2004028146.tif 000017
【図１６】
2004028146.tif 000018
【図１７】
2004028146.tif 000019
【図１８】
2004028146.tif 000020
【図１９】
2004028146.tif 000021
【図２０】
2004028146.tif 000022
【図２１】
2004028146.tif 000023
【図２２】
2004028146.tif 000024
【図２３】
2004028146.tif 000025